(57)【特許請求の範囲】
【請求項１】
複数のシフトレジスタのうち、少なくとも２つのシフトレジスタに対して、１つのスタートパルスが共通に供給され、タイミングの異なる複数の駆動パルスのそれぞれが供給されて、前記スタートパルスに対する前記複数の駆動パルスの各タイミングによって、前記少なくとも２つのシフトレジスタをそれぞれ異なるタイミングでスタートさせることを特徴とする信号伝送回路。
【請求項２】
１つのシフトレジスタに対して、少なくとも２つの入力部が設けられ、それぞれの入力部に共通の１つのスタートパルスとタイミングの異なる複数の駆動パルスのそれぞれが供給され、
前記スタートパルスに対する前記複数の駆動パルスの各タイミングによって、前記１つのシフトレジスタを異なるタイミングでスタートさせることを特徴とする信号伝送回路。
【請求項３】
前記少なくとも２つのシフトレジスタのそれぞれは、前記スタートパルスがソースまたはドレインに供給され、前記複数の駆動パルスのうち対応する駆動パルスがゲートに供給されるトランジスタを備えたことを特徴とする請求項１記載の信号伝送回路。
【請求項４】
前記少なくとも２つの入力部の各々は、前記スタートパルスがソースまたはドレインに供給され、前記複数の駆動パルスのうち対応する駆動パルスがゲートに供給されるトランジスタを備えたことを特徴とする請求項２記載の信号伝送回路。
【請求項５】
前記トランジスタはｎ型ＭＯＳトランジスタであり、前記スタートパルスの立ち下がりタイミングは前記駆動パルスの立ち下がりタイミングよりも遅いことを特徴とする請求項３または４記載の信号伝送回路。
【請求項６】
前記トランジスタはｐ型ＭＯＳトランジスタであり、前記スタートパルスの立ち上がりタイミングは前記駆動パルスの立ち上がりタイミングよりも遅いことを特徴とする請求項３または４記載の信号伝送回路。
【請求項７】
前記少なくとも２つのシフトレジスタのそれぞれは、前記スタートパルスがゲートに供給され、前記複数の駆動パルスのうち対応する駆動パルスがソースまたはドレインに供給されるトランジスタを備えたことを特徴とする請求項１記載の信号伝送回路。
【請求項８】
前記少なくとも２つの入力部の各々は、前記スタートパルスがゲートに供給され、前記複数の駆動パルスのうち対応する駆動パルスがソースまたはドレインに供給されるトランジスタを備えたことを特徴とする請求項２記載の信号伝送回路。
【請求項９】
前記トランジスタはｎ型ＭＯＳトランジスタであり、前記スタートパルスの立ち下がりタイミングは前記駆動パルスの立ち下がりタイミングよりも早いことを特徴とする請求項７または８記載の信号伝送回路。
【請求項１０】
前記トランジスタはｐ型ＭＯＳトランジスタであり、前記スタートパルスの立ち上がりタイミングは前記駆動パルスの立ち上がりタイミングよりも早いことを特徴とする請求項７または８記載の信号伝送回路。
【請求項１１】
請求項１から１０のいずれか一項記載の信号伝送回路を用いたことを特徴とする固体撮像装置。
【請求項１２】
請求項１１記載の固体撮像装置を用いたことを特徴とするカメラ。
【請求項１３】
請求項１から１０のいずれか一項記載の信号伝送回路を用いたことを特徴とする液晶表示装置。
【発明の詳細な説明】
【０００１】
【発明の属する技術分野】
本発明は、液晶ディスプレイや、ＭＯＳ型固体撮像装置を駆動するためのシフトレジスタに使用して、低電圧で駆動できる信号伝送回路に関するものである。
【０００２】
【従来の技術】
図９は、従来のＭＯＳ型イメージセンサの一構成例を示す図である。図９において、フォトダイオード１、転送トランジスタ２、リセットトランジスタ３、および増幅トランジスタ４からなる単位画素が二次元状に配列されて感光領域５が構成されている。６は列方向に画素を選択する通常駆動用垂直シフトレジスタ（Ｓ／Ｒ１）、７は電子シャッター用垂直シフトレジスタ（Ｓ／Ｒ２）、８は行方向に画素を選択する水平シフトレジスタ、９は、通常駆動用垂直シフトレジスタ６、電子シャッター用垂直シフトレジスタ７、および水平シフトレジスタ８に必要なパルスを供給するタイミングパルス発生回路である。
【０００３】
図１０は、図９の通常駆動用垂直シフトレジスタ６および電子シャッター用垂直シフトレジスタ７の入出力関係を示す概略構成図である。図１０に示すように、通常駆動用垂直シフトレジスタ６には、駆動パルスＶ１、Ｖ２およびスタートパルスＶＳＴ１が供給され、電子シャッター用垂直シフトレジスタ７には、駆動パルスＶ１、Ｖ２およびスタートパルスＶＳＴ２が供給される。
【０００４】
図１１は、ｎ型ＭＯＳトランジスタを用いてダイナミックロジック型で構成した通常駆動用垂直シフトレジスタ６および電子シャッター用垂直シフトレジスタ７の内部回路図である。図１１において、通常駆動用垂直シフトレジスタ６のトランジスタＭ１のドレインにスタートパルスＶＳＴ１が入力され、同時に駆動パルスＶ２がトランジスタＭ１のゲート電極に入った場合に、通常駆動用垂直シフトレジスタ６がシフト動作をスタートする。また、電子シャッター用垂直シフトレジスタ７は、通常駆動用垂直シフトレジスタ６と同一の構成をとり、トランジスタＭ２のドレインにスタートパルスＶＳＴ２が入力され、同時に駆動パルスＶ２がゲート電極に入った場合に、電子シャッター用垂直シフトレジスタ７がシフト動作をスタートする。
【０００５】
図１２は、駆動パルスＶ２、スタートパルスＶＳＴ１、ＶＳＴ２のタイミングチャートである。図１２に示すように、通常駆動用垂直シフトレジスタ６は、時間期間Ｔ１でスタートパルスＶＳＴ１および駆動パルスＶ２が共に「Ｈｉｇｈ」レベルとなり、スタートパルスＶＳＴ１の電圧レベルがトランジスタＭ１を通って初段のコンデンサＣ１に蓄えられ、通常駆動用垂直シフトレジスタ６がスタートする。この時間期間Ｔ１の後に、スタートパルスＶＳＴ１が「Ｌｏｗ」レベルになる前に、駆動パルスＶ２を「Ｌｏｗ」レベルにすることで、初段コンデンサＣ１に蓄えられた電荷が保持されることとなる。
【０００６】
同様に、電子シャッター用垂直シフトレジスタ７は、時間期間Ｔ２でスタートパルスＶＳＴ２および駆動パルスＶ２が共に「Ｈｉｇｈ」レベルとなり、スタートパルスＶＳＴ２の電圧レベルがトランジスタＭ２を通って初段のコンデンサＣ２に蓄えられ、電子シャッター用垂直シフトレジスタ７がスタートする。この時間期間Ｔ２の後に、スタートパルスＶＳＴ２が「Ｌｏｗ」レベルになる前に、駆動パルスＶ２を「Ｌｏｗ」レベルにすることで、初段コンデンサＣ２に蓄えられた電荷が保持されることとなる。
【０００７】
【発明が解決しようとする課題】
このように、従来のＭＯＳ型イメージセンサでは、通常駆動と電子シャッター駆動に対して、それぞれ通常駆動用垂直シフトレジスタ（Ｓ／Ｒ１）６および電子シャッター用垂直シフトレジスタ（Ｓ／Ｒ２）７の２種類が必要で、その２つのシフトレジスタに、駆動パルスＶ１、Ｖ２は共通に供給されているが、スタートパルスについては、各シフトレジスタのスタート時間が異なるため、別々のスタートパルスＶＳＴ１、ＶＳＴ２を供給する必要がある。
【０００８】
しかしながら、チップ面積の縮小化を行う場合、回路の削減やパルス数の削減が必須となってくる。特に、ＭＯＳ型イメージセンサ内にタイミングパルス発生回路９を持たない場合は、外部からパルスを供給するための端子数が増加するため、パルス数の削減は、チップ面積の縮小化にとって不可欠である。
【０００９】
本発明は、かかる点に鑑みてなされたものであり、その目的は、外部から供給するパルス数を削減して、チップ面積の縮小化を図った固体撮像装置を提供することにある。
【００１０】
【課題を解決するための手段】
前記の目的を達成するため、本発明に係る第１の信号伝送回路は、複数のシフトレジスタのうち、少なくとも２つのシフトレジスタに対して、１つのスタートパルスが共通に供給され、タイミングの異なる複数の駆動パルスのそれぞれが供給されて、スタートパルスに対する複数の駆動パルスの各タイミングによって、少なくとも２つのシフトレジスタをそれぞれ異なるタイミングでスタートさせることを特徴とする。
【００１１】
前記の目的を達成するため、本発明に係る第２の信号伝送回路は、１つのシフトレジスタに対して、少なくとも２つの入力部が設けられ、それぞれの入力部に共通の１つのスタートパルスとタイミングの異なる複数の駆動パルスのそれぞれが供給され、スタートパルスに対する複数の駆動パルスの各タイミングによって、１つのシフトレジスタを異なるタイミングでスタートさせることを特徴とする。
【００１２】
第１の信号伝送回路において、少なくとも２つのシフトレジスタのそれぞれは、スタートパルスがソースまたはドレインに供給され、複数の駆動パルスのうち対応する駆動パルスがゲートに供給されるトランジスタを備えることが好ましい。
【００１３】
第２の信号伝送回路において、少なくとも２つの入力部の各々は、スタートパルスがソースまたはドレインに供給され、複数の駆動パルスのうち対応する駆動パルスがゲートに供給されるトランジスタを備えることが好ましい。
【００１４】
上記構成の場合、トランジスタはｎ型ＭＯＳトランジスタであり、スタートパルスの立ち下がりタイミングは駆動パルスの立ち下がりタイミングよりも遅いことが好ましく、または、トランジスタはｐ型ＭＯＳトランジスタであり、スタートパルスの立ち上がりタイミングは駆動パルスの立ち上がりタイミングよりも遅いことが好ましい。
【００１５】
また、第１の信号伝送回路において、少なくとも２つのシフトレジスタのそれぞれは、スタートパルスがゲートに供給され、複数の駆動パルスのうち対応する駆動パルスがソースまたはドレインに供給されるトランジスタを備えることが好ましい。
【００１６】
また、第２の信号伝送回路において、少なくとも２つの入力部の各々は、スタートパルスがゲートに供給され、複数の駆動パルスのうち対応する駆動パルスがソースまたはドレインに供給されるトランジスタを備えることが好ましい。
【００１７】
上記構成の場合、トランジスタはｎ型ＭＯＳトランジスタであり、スタートパルスの立ち下がりタイミングは駆動パルスの立ち下がりタイミングよりも早いことが好ましく、または、トランジスタはｐ型ＭＯＳトランジスタであり、スタートパルスの立ち上がりタイミングは駆動パルスの立ち上がりタイミングよりも早いことが好ましい。
【００１８】
第１の信号伝送回路の構成によれば、１つのスタートパルス中に、異なるタイミングで複数のシフトレジスタを個別にスタートできるパルスタイミングを設けている。これにより、多数のシフトレジスタを一括管理できるとともに、複数のスタートパルスを発生する回路を削減することができる。また、第１の信号伝送回路をタイミングパルス発生回路が内蔵されていないＭＯＳ型固体撮像装置およびそれを用いたカメラ、液晶表示装置に適用した場合は、外部から供給するスタートパルスの数を削減できるため、外部パッケージの端子数を削減することができる。
【００１９】
第２の信号伝送回路の構成によれば、１つのスタートパルス中に、異なるタイミングで複数の駆動をスタートできるパルスタイミングを設けている。これより、複数の入力部を一括管理できるとともに、複数のスタートパルスを発生する回路を削減することができる。また、第２の信号伝送回路をタイミングパルス発生回路が内蔵されていないＭＯＳ型固体撮像装置、それを用いたカメラ、液晶表示装置に適用した場合は、外部から供給するスタートパルスの数を削減できるため、外部パッケージの端子数を削減することができる。
【００２０】
【発明の実施の形態】
以下、本発明の好適な実施の形態について、図面を参照して説明する。なお、以下の実施形態では、本発明に係る信号伝送回路をＭＯＳ型固体撮像装置に適用した場合を例にあげて説明する。
【００２１】
（第１の実施形態）
図１は、本発明の第１の実施形態に係るＭＯＳ型固体撮像装置における通常駆動用垂直シフトレジスタ（Ｓ／Ｒ１）１６および電子シャッター用垂直シフトレジスタ（Ｓ／Ｒ２）１７の全体構成図である。図１において、各シフトレジスタは、２つの駆動パルスＶ１、Ｖ２、および１つのスタートパルスＶＳＴ１の３つのパルスで駆動され、スタートパルスＶＳＴ１は２つのシフトレジスタで共通に用いられている。
【００２２】
図２は、ｎ型ＭＯＳトランジスタを用いてダイナミックロジック型で構成した通常駆動用垂直シフトレジスタ１６および電子シャッター用垂直シフトレジスタ１７の内部回路図である。図２において、通常駆動用垂直シフトレジスタ１６は、スタートパルスＶＳＴ１と駆動パルスＶ１が共に「Ｈｉｇｈ」レベルの期間に、トランジスタＭ１を通して、コンデンサＣ１に「Ｈｉｇｈ」レベルの電圧が加わり、シフト動作をスタートさせる。電子シャッター用垂直シフトレジスタ１７は、スタートパルスＶＳＴ１と駆動パルスＶ２が共に「Ｈｉｇｈ」レベルの期間に、トランジスタＭ２を通して、容量Ｃ２に「Ｈｉｇｈ」レベルの電圧が加わり、シフト動作をスタートさせる。
【００２３】
図３は、駆動パルスＶ１、Ｖ２およびスタートパルスＶＳＴ１のタイミングチャートである。図３に示すように、通常駆動用垂直シフトレジスタ６では、時間期間Ｔ１でスタートパルスＶＳＴ１および駆動パルスＶ１が共に「Ｈｉｇｈ」レベルとなり、スタートパルスＶＳＴ１の電圧レベルがトランジスタＭ１を通って初段のコンデンサＣ１に蓄えられ、シフト動作がスタートする。この時間期間Ｔ１のすぐ後において、スタートパルスＶＳＴ１が「Ｌｏｗ」レベルになる前に、駆動パルスＶ１を「Ｌｏｗ」レベルにすることで、コンデンサＣ１に蓄えられた「Ｈｉｇｈ」レベル電荷が保持され、ダイナミックロジックが動作することとなる。
【００２４】
同様に、電子シャッター用垂直シフトレジスタ１７では、時間期間Ｔ２でスタートパルスＶＳＴ１および駆動パルスＶ２が共に「Ｈｉｇｈ」レベルとなり、スタートパルスＶＳＴ１の電圧レベルがトランジスタＭ２を通って初段のコンデンサＣ２に蓄えられ、シフト動作がスタートする。この時間期間Ｔ２のすぐ後において、スタートパルスＶＳＴ１が「Ｌｏｗ」レベルになる前に、駆動パルスＶ２を「Ｌｏｗ」レベルにすることで、コンデンサＣ２に蓄えられた「Ｈｉｇｈ」レベル電荷が保持され、ダイナミックロジックが動作することとなる。
【００２５】
このように、各シフトレジスタにおいて、スタートパルスＶＳＴ１がドレインに印加される初段のトランジスタＭ１、Ｍ２のそれぞれのゲートに印加される駆動パルスＶ１とＶ２が異なるように構成することと、１つのスタートパルスＶＳＴ１中に、異なる時間に複数のシフトレジスタを個別にスタートできるパルスタイミングを設けることで、各シフトレジスタのスタート時間を異なるように設定できる。
【００２６】
したがって、通常駆動用垂直シフトレジスタ１６および電子シャッター用垂直シフトレジスタ１７の駆動においては、駆動パルスＶ１、Ｖ２が共通で利用されるだけでなく、スタートパルスＶＳＴ１も共通に利用することができる。これにより、１つのスタートパルスＶＳＴ１は、多数のシフトレジスタを一括管理するとともに、複数のスタートパルスを発生する回路が削減でき、チップ面積の縮小化を図ることができる。また、タイミングパルス発生回路が内蔵されていないＭＯＳ型固体撮像装置では、外部から供給するスタートパルスの数を削減できるため、外部パッケージの端子数を削減することができる。
【００２７】
（第２の実施形態）
図４は、本発明の第２の実施形態に係るＭＯＳ型固体撮像装置におけるｎ型ＭＯＳトランジスタを用いてダイナミックロジック型で構成した通常駆動用垂直シフトレジスタ１６および電子シャッター用垂直シフトレジスタ１７の内部回路図である。本実施形態が第１の実施形態と異なる点は、各シフトレジスタにおいて、初段のトランジスタＭ１、Ｍ２のゲートにスタートパルスが共通に供給され、初段のトランジスタＭ１、Ｍ２のドレインにそれぞれタイミングが異なる駆動パルスがＶ１、Ｖ２が供給される点にある。
【００２８】
このように構成された各シフトレジスタの動作について、図５のタイミングチャートを用いて説明する。
【００２９】
通常駆動用垂直シフトレジスタ１６は、時間期間Ｔ１でスタートパルスＶＳＴ１および駆動パルスＶ１が共に「Ｈｉｇｈ」となり、駆動パルスＶ１の「Ｈｉｇｈ」レベル電圧がトランジスタＭ１を通って初段のコンデンサＣ１に蓄えられ、シフト動作をスタートさせる。この時間期間Ｔ１のすぐ後において、駆動パルスＶ１が「Ｌｏｗ」レベルになる前に、スタートパルスＶＳＴ１を「Ｌｏｗ」レベルにすることで、コンデンサＣ１に蓄えられた「Ｈｉｇｈ」レベル電荷が保持され、ダイナミックロジックが動作することとなる。
【００３０】
同様に、電子シャッター用垂直シフトレジスタ１７は、時間期間Ｔ２でスタートパルスＶＳＴ１および駆動パルスＶ２が共に「Ｈｉｇｈ」レベルとなり、駆動パルスＶ２の「Ｈｉｇｈ」レベル電圧がトランジスタＭ２を通って初段のコンデンサＣ２に蓄えられ、シフト動作がスタートする。この時間期間Ｔ２のすぐ後において、駆動パルスＶ２が「Ｌｏｗ」レベルになる前に、スタートパルスＶＳＴ１を「Ｌｏｗ」レベルにすることで、コンデンサＣ２に蓄えられた「Ｈｉｇｈ」レベル電荷が保持され、ダイナミックロジックが動作することとなる。
【００３１】
このように、各シフトレジスタにおいて、スタートパルスＶＳＴ１がゲートに印加される初段のトランジスタＭ１、Ｍ２のそれぞれのドレインに印加される駆動パルスＶ１とＶ２が異なるように構成することと、１つのスタートパルスＶＳＴ１中に、異なる時間で複数のシフトレジスタを個別にスタートできるパルスタイミングを設けることで、各シフトレジスタのスタート時間を異なるように設定できる。
【００３２】
したがって、通常駆動用垂直シフトレジスタ１６および電子シャッター用垂直シフトレジスタ１７の駆動においては、駆動パルスＶ１、Ｖ２が共通で利用されるだけでなく、スタートパルスＶＳＴ１も共通に利用することができる。これより、１つのスタートパルスＶＳＴ１は、多数のシフトレジスタを一括管理するとともに、複数のスタートパルスを発生する回路が削減でき、チップ面積の縮小化を図ることができる。また、タイミングパルス発生回路が内蔵されていないＭＯＳ型固体撮像装置では、外部から供給するスタートパルスの数を削減できるため、外部パッケージの端子数を削減することができる。
【００３３】
（第３の実施形態）
図６は、本発明の第３の実施形態に係るＭＯＳ型固体撮像装置における通常駆動と電子シャッター駆動兼用の１つのシフトレジスタ６１の全体構成図である。シフトレジスタ６１は、２つの駆動パルスＶ１、Ｖ２および１つのスタートパルスＶＳＴ１の３つのパルスで駆動され、スタートパルスＶＳＴ１は２つの入力部（ＩＮ−１、ＩＮ−２）６２、６３で共通に用いられている。
【００３４】
図７は、ｎ型ＭＯＳトランジスタを用いてダイナミックロジック型で構成したシフトレジスタ６１の内部回路図である。図７において、入力部６２は、通常駆動用にシフトレジスタ６１のスタートパルスＶＳＴＮを発生させる役割を持ち、入力部６３は、電子シャッター駆動用にシフトレジスタ６１のスタートパルスＶＳＴＳを発生させる役割を持つ。
【００３５】
入力部６２では、スタートパルスＶＳＴ１と駆動パルスＶ１が共に「Ｈｉｇｈ」レベルの期間に、トランジスタＭ１を通してコンデンサＣ１に「Ｈｉｇｈ」レベルの電圧が加わり、通常駆動用としてシフトレジスタ６１がスタートする。また、入力部６３では、スタートパルスＶＳＴ１と駆動パルスＶ２が共に「Ｈｉｇｈ」レベルの期間に、トランジスタＭ２を通してコンデンサＣ２に「Ｈｉｇｈ」レベルの電圧が加わり、電子シャッター駆動用としてシフトレジスタ６１がスタートする。なお、駆動パルスＶ１、Ｖ２およびスタートパルスＶＳＴ１のタイミング関係は、図３のタイミングチャートに示す通りである。
【００３６】
このように、各入力部において、スタートパルスＶＳＴ１がドレインに印加されるトランジスタＭ１、Ｍ２のそれぞれのゲートに印加される駆動パルスＶ１とＶ２が異なるように構成することと、１つのスタートパルスＶＳＴ１中に、異なる時間で複数のシフトレジスタを個別にスタートできるパルスタイミングを設けることで、各入力部のスタート時間を異なるように設定できる。
【００３７】
したがって、通常駆動時と電子シャッター駆動時に共通のシフトレジスタで駆動できると共に、入力部６２、６３の駆動においては、スタートパルスＶＳＴ１も共通に利用することができる。これによって、シフトレジスタ数の低減とスタートパルスの共通化により、複数のスタートパルスを発生する回路が削減でき、チップ面積の縮小化を図ることができる。また、タイミングパルス発生回路が内蔵されていないＭＯＳ型固体撮像装置では、外部から供給するスタートパルスの数を削減できるため、外部パッケージの端子数を削減することができる。
【００３８】
（第４の実施形態）
図８は、本発明の第４の実施形態に係るＭＯＳ型固体撮像装置におけるｎ型ＭＯＳトランジスタを用いてダイナミックロジック型で構成した通常駆動と電子シャッター駆動兼用のシフトレジスタ６１の内部回路図である。本実施形態が第３の実施形態と異なる点は、各入力部において、トランジスタＭ１、Ｍ２のゲートにスタートパルスが共通に供給され、トランジスタＭ１、Ｍ２のドレインにそれぞれタイミングが異なる駆動パルスがＶ１、Ｖ２が供給される点にある。なお、駆動パルスＶ１、Ｖ２およびスタートパルスＶＳＴ１のタイミング関係は、図５のタイミングチャートに示す通りであるので、動作説明については省略する。
【００３９】
このように、各入力部６２、６３において、スタートパルスＶＳＴ１がゲート電極に印加されるトランジスタＭ１、Ｍ２のそれぞれのドレインに印加される駆動パルスＶ１とＶ２が異なるように構成することと、１つのスタートパルスＶＳＴ１中に、異なる時間で複数のシフトレジスタを個別にスタートできるパルスタイミングを設けることで、各入力部のスタート時間を異なるように設定できる。
【００４０】
したがって、標準駆動時と電子シャッター駆動時に共通のシフトレジスタで駆動できると共に、入力部６２、６３の駆動においては、スタートパルスＶＳＴ１も共通に利用することができる。これによって、シフトレジスタ数の低減とスタートパルスの共通化により、複数のスタートパルスを発生する回路が削減でき、チップ面積の縮小化を図ることができる。また、タイミングパルス発生回路が内蔵されていないＭＯＳ型固体撮像装置では、外部から供給するスタートパルスの数を削減できるため、外部パッケージの端子数を削減することができる。
【００４１】
なお、本発明の第１から第４の実施形態では、２つの駆動パルスＶ１、Ｖ２を用いた場合を例に上げて説明したが、駆動パルスが３つ以上の場合でも、シフトレジスタのスタートパルスを共通に使うことができ、駆動パルス数が多い場合は、複数のスタートパルスを発生する回路部の削減および端子数削減の効果が更に大きくなる。
【００４２】
また、本発明の第１から第４の実施形態では、垂直シフトレジスタ６および電子シャッター用垂直シフトレジスタ７を、ｎ型ＭＯＳトランジスタを用いて構成したが、ｐ型ＭＯＳトランジスタを用いて構成しても、同様の効果を奏する。
【００４３】
また、本発明の第１から第４の実施形態では、固体撮像装置の垂直の行を選択するシフトレジスタの構成例を示したが、固体撮像装置の水平アドレスを選択するシフトレジスタにおいても用いることができる。また、液晶表示装置などにおいて、水平方向および垂直方向のアドレスを決定するシフトレジスタとしても、同様の効果を実現することが出来る。
【００４４】
【発明の効果】
以上説明したように、本発明によれば、複数のスタートパルスを発生する回路が削減でき、チップ面積の縮小化を図ることができる。また、本発明の信号伝送回路をタイミングパルス発生回路が内蔵されていないＭＯＳ型固体撮像装置およびそれを用いたカメラ、液晶表示装置に適用した場合は、外部から供給するスタートパルスの数を削減できるため、外部パッケージの入力端子数を削減することができる。これによって、ＭＯＳ型固体撮像装置の小型化を実現することができ、産業上極めて有用である。
【図面の簡単な説明】
【図１】  本発明の第１の実施形態に係るＭＯＳ型固体撮像装置における通常駆動用垂直シフトレジスタ（Ｓ／Ｒ１）１６および電子シャッター用垂直シフトレジスタ（Ｓ／Ｒ２）１７の全体構成図
【図２】  本発明の第１の実施形態に係るＭＯＳ型固体撮像装置における通常駆動用垂直シフトレジスタ（Ｓ／Ｒ１）１６および電子シャッター用垂直シフトレジスタ（Ｓ／Ｒ２）１７の内部回路図
【図３】  図２の各シフトレジスタに供給されるパルスのタイミングチャート
【図４】  本発明の第２の実施形態に係るＭＯＳ型固体撮像装置における通常駆動用垂直シフトレジスタ（Ｓ／Ｒ１）１６および電子シャッター用垂直シフトレジスタ（Ｓ／Ｒ２）１７の内部回路図
【図５】  図４の各シフトレジスタに供給されるパルスのタイミングチャート
【図６】  本発明の第３の実施形態に係るＭＯＳ型固体撮像装置における通常駆動と電子シャッター駆動兼用のシフトレジスタ６１の全体構成図
【図７】  本発明の第３の実施形態に係るＭＯＳ型固体撮像装置における通常駆動と電子シャッター駆動兼用のシフトレジスタ６１の内部回路図
【図８】  本発明の第４の実施形態に係るＭＯＳ型固体撮像装置における通常駆動と電子シャッター駆動兼用のシフトレジスタ６１の内部回路図
【図９】  従来のＭＯＳ型イメージセンサの一構成例を示す図
【図１０】  従来の通常駆動用垂直シフトレジスタ６および電子シャッター用垂直シフトレジスタ７の全体構成図
【図１１】  従来の通常駆動用垂直シフトレジスタ６および電子シャッター用垂直シフトレジスタ７の内部回路図
【図１２】  図１１の各シフトレジスタに供給されるパルスのタイミングチャート
【符号の説明】
１  フォトダイオード
２  転送トランジスタ
３  リセットトランジスタ
４  増幅トランジスタ
５  感光領域
６、１６  通常駆動用垂直シフトレジスタ
７、１７  電子シャッター用垂直シフトレジスタ
８  水平シフトレジスタ
９  タイミングパルス発生回路
６１  通常駆動と電子シャッター駆動兼用のシフトレジスタ
６２、６３  入力部
【図１】
0003652630.tif 000002
【図２】
0003652630.tif 000003
【図３】
0003652630.tif 000004
【図４】
0003652630.tif 000005
【図５】
0003652630.tif 000006
【図６】
0003652630.tif 000007
【図７】
0003652630.tif 000008
【図８】
0003652630.tif 000009
【図９】
0003652630.tif 000010
【図１０】
0003652630.tif 000011
【図１１】
0003652630.tif 000012
【図１２】
0003652630.tif 000013